(57)【特許請求の範囲】
【請求項１】
移動式給湯器と、この移動式給湯器から湯を供給可能な移動式浴槽と、この移動式浴槽を着脱可能に支持する支持体とを備えた移動式入浴システムであって、
前記移動式給湯器には、入浴サービスを提供するときに使用するガス導入口から導入されるガスを燃焼させるガス燃焼装置とこのガス燃焼装置から発せられる熱を水導入口から導入される水に与える熱交換装置とを収容する第１筐体と、前記ガス燃焼装置の燃焼状態を制御する制御装置を収容する第２筐体と、前記第１筐体と第２筐体とを組み付けた状態で移動可能な車輪を設けた台車とが設けられており、前記第２筐体は前記台車に対して着脱可能とされていると共に、
前記移動式浴槽は、複数枚のものが互いに積層可能に形成されており、
前記支持体は、前記移動式浴槽を載置することで入浴作業を行う展開状態と、折り畳まれた折畳み状態との間で開閉可能に構成されていることを特徴とする移動式入浴システム。
【請求項２】
前記移動式浴槽は、熱可塑性樹脂の板材のみから形成されており、その表面側にはアクリル製のシートが被せられていることを特徴とする請求項１に記載の移動式入浴システム。
【請求項３】
前記移動式浴槽において、入浴者の腰部から脚部が位置する底部はより深く、胴体から頸部に至るところでは徐々に浅くなる斜面部が形成されており、頭部が位置する頭位置部は水平状とされていると共に、底部と頭位置部とには、水抜き孔が開口されており、ここに導水部材が装着されていることを特徴とする請求項１または２に記載の移動式入浴システム。
【請求項４】
前記支持体は、その中央部分に対して前後対称的にフレームにより形成されており、中央に設けられた左右一対のヒンジ部で折り畳むことが可能とされていることを特徴とする請求項１〜３のいずれか一つに記載の移動式入浴システム。
【発明の詳細な説明】
【０００１】
【発明の属する技術分野】
本発明は、移動式入浴システムおよび、そのために使用可能な移動式給湯器および移動式浴槽に関するものである。
【０００２】
【従来の技術】
近年、我が国において、高齢者数及び高齢者の人口比率が上昇するに伴って、各種の関連サービスが提供されている。それらのサービスのうち、高齢者の自宅において、入浴サービスを提供するというものがある。その際、自宅の浴室が必ずしも高齢者の入浴サービスに適した構造ではないことから（或いは、必ずしも浴室があるとは限らないことから）、図１３に示すような、移動式入浴システムが工夫されている（実用新案第１７８３８６７号）。
この移動式入浴システムは、バン等の自動車に収容されて高齢者宅を訪問するために開発されたものであり、移動式浴槽１００と、この浴槽１００にお湯を供給するための給湯器１０１とが備えられている。
【０００３】
【発明が解決しようとする課題】
ところが、給湯器１０１は、自動車１０２の内部に備え付けものであるため、例えば高層マンションの高階において、入浴サービスを提供するためには、お湯を供給するためのホースを自動車１０２から高齢者の自宅に運び込まれた浴槽１００まで延々と引き回す必要がある。
また、この給湯器１０１は、灯油等を燃料とするために、湯温コントロールを細かく制御することが難しいため、高温の湯と水とを混合する混合栓１０３を設けなければならない。その際、実際にお湯を利用する高齢者の身の回りで湯温を制御することが望ましいため、混合栓１０３は浴槽１００に固定されている。これに加えて、浴槽１００は繊維強化プラスチック（ＦＲＰ）製であるため、先の混合栓１０３とも合わせると、全体の重量が約２０キログラムとなってしまう。高齢者の入浴サービスは、通常は女性が行うことが多いため、浴槽１００はできるだけ軽量化させるのが望ましい。
【０００４】
また、上記のように浴槽１００が重くかつ、嵩張るため、自動車１０２の内部には、一つの浴槽１００しか装備することができない。このため、一日に数人の高齢者に入浴サービスを提供する場合には、浴槽１００内が徐々に汚れざるを得ない（一度の入浴作業が終了すると、その場所で浴槽１００の洗浄は行うものの、高齢者宅では十分な作業場所が確保できないためである。なお、一日の全ての入浴サービスが終了すると、本部に帰って洗浄作業を行うが、そのような場所では専用の洗浄場所があるので、十分な洗浄が可能である。）。すると、順番が後になる入浴者にとって、充分に奇麗な浴槽１００を使用することが困難となってくる。
本発明は、上記した事情に鑑みてなされたものであり、その目的は、高齢者等の入浴作業にあたって、作業性が向上できる移動式入浴システムおよびそのために使用可能な移動式給湯器、移動式浴槽を提供することにある。
【０００５】
【課題を解決するための手段】
上記の課題を解決するための発明に係る移動式入浴システムは、移動式給湯器と、この移動式給湯器から湯を供給可能な移動式浴槽と、この移動式浴槽を着脱可能に支持する支持体とを備えた移動式入浴システムであって、前記移動式給湯器には、入浴サービスを提供するときに使用するガス導入口から導入されるガスを燃焼させるガス燃焼装置とこのガス燃焼装置から発せられる熱を水導入口から導入される水に与える熱交換装置とを収容する第１筐体と、前記ガス燃焼装置の燃焼状態を制御する制御装置を収容する第２筐体と、前記第１筐体と第２筐体とを組み付けた状態で移動可能な車輪を設けた台車とが設けられており、前記第２筐体は前記台車に対して着脱可能とされていると共に、前記移動式浴槽は、熱可塑性樹脂の板材から形成されており、複数枚のものが互いに積層可能に形成されており、前記支持体は、前記移動式浴槽を載置することで入浴作業を行う展開状態と、折り畳まれた折畳み状態との間で開閉可能に構成されていることを特徴とする。
本発明においては、前記移動式浴槽は、熱可塑性樹脂の板材のみから形成されており、その表面側にはアクリル製のシートが被せられていることが好ましい。
また、前記移動式浴槽において、入浴者の腰部から脚部が位置する底部はより深く、胴体から頸部に至るところでは徐々に浅くなる斜面部が形成されており、頭部が位置する頭位置部は水平状とされていると共に、底部と頭位置部とには、水抜き孔が開口されており、ここに導水部材が装着されていることが好ましい。
また、前記支持体は、その中央部分に対して前後対称的にフレームにより形成されており、中央に設けられた左右一対のヒンジ部で折り畳むことが可能とされていることが好ましい。
【０００８】
【発明の作用、および発明の効果】
請求項１の発明によれば、ガスを燃焼させてお湯を供給する給湯器が、移動可能手段によって移動可能とされている。このため、移動式入浴システムとして使用するときに、使用性が良好となる。
また、移動式給湯器を第１筐体と第２筐体とに分割している。このため、別々に運搬することが容易となる。また、第１筐体には、ガス燃焼装置と熱交換装置とが収容されているため高熱となる。一方、制御装置は、高熱から避けておくことが望ましい。このため、高温となる第１筐体と、第２筐体とを分割し、制御装置の保護が図られる。
【０００９】
また、台車に第１および第２筐体を組み付けた状態で運搬することができる。また、第２筐体は着脱可能であるため、運搬時には取り外して、両筐体を別々に運ぶことにより、運搬性が良好となる。さらに、第１筐体は、使用後には高熱となるため、使用後すぐに運搬することは難しいが、台車に組み付けた状態で運搬できるので、使用性が良好となる。
浴槽は、支持体に対して着脱可能とされており、かつ積層することができる。このため、一台の車で入浴サービスを提供すべき人数分の浴槽を運ぶことができる。こうして、入浴サービスを受ける人は、常に新しい浴槽を利用できる。
【００１０】
本発明の移動式給湯器は、ガスを燃焼させてお湯を供給する方式なので、灯油を燃料とする場合に比べると、給湯器自体で湯温の調節が行いやすい。このため、浴槽付近に混合機を設けておく必要がなくなり、移動式浴槽を簡易な構成とできる。こうして、移動性がさらに良好となる。
【００１１】
【発明の実施の形態】
次に本発明の一実施形態について、図１〜図１２を参照しつつ、詳細に説明する。
図１には、本実施形態の移動式入浴システム１の全体を模式的に示したものである。この移動式入浴システム１には、移動式浴槽２と、移動式給湯器３とが設けられている。
【００１２】
＜移動式給湯器＞
移動式給湯器３は、図２〜図４に示すように、燃焼性ガスを燃料として、移動式浴槽２に湯を供給するものである。移動式給湯器３には、ほぼ同じ大きさの二つの筐体４，５が設けられており、両筐体４，５が台車６（本発明における移動可能手段に該当する。）に搭載された状態となっている。台車６は、全体が鉄製パイプで形成されており、略コ字状の底部１０と、その底部１０の中央辺部１０Ａから上方に立ち上げられた左右一対の支持部１１とが設けられている。この両支持部１１の上端からは、略コ字状の操作部７が上下方向に伸縮可能に差し込まれている。また、底部１０の中央辺部１０Ａにおいて、両支持部１１のそれぞれの外方には、外側（筐体４，５が設けられる側とは逆側）に向かって、一対の車輪８が設けられている。移動式給湯器３を移動させるには、両車輪８を接地させて回動中心としながら操作部７を傾け、前側（筐体４，５が設けられている側）を浮き上がらせた状態で運搬することが可能である。また、底部１０の左右一対の開放端１０Ｂからは、両筐体４，５が組付け可能とされている。
【００１３】
両筐体４，５は、共にステンレス板材により略直方体状に形成されている。両筐体４，５の左右幅は、両開放端１０Ｂが離間する幅とほぼ同等とされている。また、両筐体４，５の底面側の左右端部には、両開放端１０Ｂを挿通可能な左右一対の組み付け筒部１２が設けられている。各組み付け筒部１２の側面には、固定ネジ１３がねじ付けられる。この固定ネジ１３をねじ付けて、その先端を底部１０に当接させることで、各筐体４，５が台車６に対して位置決めされた状態で固定される。なお、両筐体４，５のうち、第１筐体４が底部１０に対して先に組み付けられる。また、第２筐体５の上面中央側には、手提げ部１４が設けられており、第２筐体５を台車６から取り外したときに、カバンのようにして運搬することができる。
【００１４】
第１筐体４の内部には、図４に示すように、ガス燃焼装置１５と熱交換装置１６とが設けられている。一方、第２筐体５の内部には、ガス燃焼装置１５および熱交換装置１６を制御するためのコンピュータを備えた制御装置１７と、ガス量を調整するガス制御装置１８と、水量を調整する水量制御装置１９と、燃焼用の空気を送風するファン２０とが設けられている。このうち、電源ライン５５を介して電気が供給される制御装置１７には、熱交換装置１６およびガス燃焼装置１５に設置された温度センサ２１Ａ，２１Ｂ，２１Ｃからの信号が、信号ライン９を介して、適時間隔で入力されるようになっている。また、制御装置１７には、湯温等を設定するリモコン２２からの信号が入力されるようになっており、このリモコン２２によって設定される条件と、センサ２１Ａ〜２１Ｃからの入力信号によって、各装置１５，１６，１８，１９，２０の制御を行うようになっている。
【００１５】
また、制御装置１７からは、第１筐体４に対して電源ライン２３が接続されており、この電源を利用してガス燃焼装置１５の着火等を行う。なお、第１筐体４の重量は、約１０ｋｇ程度とされており、第２筐体５はそれと同等かそれよりも軽量とされている。第２筐体５に設けられたガス導入口５１から導入されたガスは、ガス制御装置１８を介して第１筐体４内のガス燃焼装置１５に導かれ、燃焼する。また、第２筐体５に設けられた水導入口５２から導入された水は、水量制御装置１９を介して第１筐体４内の熱交換装置１６を流れる間に、熱量を与えられ、所定の温度に加温されて給湯口２７Ｂに至る。
【００１６】
＜移動式浴槽＞
次に、図５〜図９を参照しつつ、移動式浴槽２について説明する。移動式浴槽２は、約５ミリメートル程度の熱可塑性樹脂（例えば、ＡＢＳ樹脂を使用することができる）の板材のみから形成されており、その表面側（入浴者が入浴する面側）にはアクリル製のシートが被せられている。なお、移動式浴槽２の全重量は、約６ｋｇ程度とされている。また、移動式浴槽２の周縁部分は、全周に下方に折り返されて折り返し縁２４とされている。この折り返し縁２４を利用して、後述する支持体２６に移動式浴槽２を載置しておくことができる。また、折り返し縁２４には、給湯口２７を引っ掛けておくための引掛け部材２８を固定することができる。
【００１７】
引掛け部材２８は、図５に示すように、クリップ状に形成されており、上下一対の挟持部３６は常にはスプリング３７によって閉止する方向に付勢されている。また、挟持部３６の反対側の上下一対の操作脚部３９を互いに近接する方向に押圧することにより、両挟持部３６を開放させて、折り返し縁２４に対する着脱操作を行うことができる。上側の挟持部３６の側縁からは、Ｃ字状の引掛け片３８が突設されており、ここに給湯口２７を引っ掛けた状態で保持することができる。なお、詳細には図示しないが、給湯口２７は、シャワー状または水道状の二種類の形式で適度な温度の湯を供給することが可能とされている。なお、給湯口２７には、水の供給または停止を行う水栓部２７Ａが設けられている。
【００１８】
移動式浴槽２において、入浴者の腰部から脚部が位置する底部２５Ａはより深く、かつ胴体から頸部に至るところでは徐々に浅くなる斜面部２５Ｃが形成されている。また、頭部が位置する頭位置部２５Ｂは、水平状とされている。底部２５Ａと頭位置部２５Ｂとには、それぞれ水抜き孔２Ａが開口されており、ここには導水部材２９が装着された状態で使用される。
【００１９】
導水部材２９は、図７および図８に示すように、移動式浴槽２を挟んで上下一対の部材２９Ａ，２９Ｂから構成されている。上部材２９Ａは、水抜き孔２Ａよりも僅かに小径のパイプ部３０と、その上端部分に円板状に形成された抜け止め板３１とからなり、中央部分には、抜け止め板３１からパイプ部３０に上下方向に貫通する孔部３２が開放している。また、パイプ部３０における高さ方向の中央には、全周に沿ってフランジ３０Ａが突出されており、そのフランジ３０Ａの上端には、全周に沿って係合溝３０Ｂが凹設されている。
【００２０】
一方、下部材２９Ｂには、外筒部３３と、内筒部３４とが設けられており、このうち内筒部３４の内部には、弾性係止球３５が設けられている。上部材２９Ａの下面側にＯリング５６を設けた状態で、下部材２９Ｂの内筒部３４中央にパイプ部３０を嵌め込むと、弾性係止球３５が係止溝３０Ｂに弾性的に嵌まり込むことにより、上下の部材２９Ａ，２９Ｂが移動式浴槽２を挟み付けた状態で固定される。なお、頭位置部２５Ｂ側の水抜き孔２Ａに取り付けられる導水部材２９には、内筒部３４にドレン用のホース（図示せず）が嵌め付けられており、常に開放された状態とされている。一方、底部２５Ａの水抜き孔２Ａに取り付けられた導水部材２９については、内筒部３４に図示しないホースが嵌め付けられ、そのホースが常には閉止された状態で入浴作業が行われる。
なお、移動式浴槽２は、図９に示すように、互いに上下左右の方向を整合させた状態で積み重ねることが可能とされている。移動式浴槽２は、軽量化が図られていることから、このようにして積み重ねることにより、複数枚のものを同時に自動車５０により運搬することができる。
【００２１】
＜支持体＞
次に、図１０および図１１を参照しつつ、入浴作業時に移動式浴槽２を固定するために使用する支持体２６について説明する。支持体２６は、例えばアルミ製のフレームにより形成されており、図１０に示す展開状態（入浴作業時の状態）と、図１１に示す折畳み状態との間で開閉可能に構成されている。すなわち、支持体２６は、その中央部分に対して前後（図１０に示す矢印方向により、前（Ｆ）または後（Ｒ）方向を示す。）対称的に構成されており、中央に設けられた左右一対のヒンジ部４０で折り畳むことができる。
【００２２】
なお、前後部分の構造はそれぞれ同一であるため、以下の説明では、特に断らない限り、前半部分または後半部分のみの構造を示す。支持体２６の上部には、コ字状の上面枠４１が設けられており、この上面枠４１の上部に移動式浴槽２の折り返し縁２４が載置される。また、上面枠４１の下側には、左右一対の支持枠４２が設けられており、各支持枠４２において前後一対の上面枠４１が当接する側に、ヒンジ部４０が設けられている。
また、左右両支持枠４２の前後端部付近には、前後一対の脚枠部４３，４４が組み付けられている。前後一対の上面枠４１において、互いに近接する位置にある内側脚枠部４４は、略コ字状とされており、各端部４４Ａが、左右一対の支持枠４２に対して上下方向に回動可能に組み付けられている。
【００２３】
また、外側脚枠部４３は、同様に略コ字状に形成されており、その各端部４３Ａが左右一対の支持枠４２に対して上下方向に回動可能に組み付けられている。また、外側脚枠部４３において、支持体２６が展開状態にあるときに、下端に位置する中央辺４３Ｂの端部付近には、略コ字状の連結枠部４８が、配置されている。連結枠部４８の各端部４８Ａは外側脚枠部４３の下端付近に上下方向に回動可能に組み付けられている。また、連結枠部４８の中央辺４８Ｂには、図示しない係合部が突設されており、その係合部が内側脚枠部４４の中央辺４４Ｂに凹設された係合受部に嵌まり込むことにより、連結枠部４８が両脚枠部４３，４４の下端部分を連結した状態で固定している。
【００２４】
また、両脚枠部４３，４４からは、外側（移動式浴槽２が装着される側とは逆側）に向かって係止突部４６が突設されている。一方、各支持枠４２からは、両脚枠部４３，４４が鉛直方向に折り曲げられたときに、各係止突部４６に係合可能な係合溝４９Ａを備えた連結片４９が回動可能に設けられている。
次に、支持体２６を図１０に示す展開状態から図１１に示す折畳み状態にするときの手順の一例を示すと次のようである。まず、連結枠部４８の中央辺４８Ｂを内側脚枠部４４から分離させ、図１０中の矢印Ａ方向に回動させる。次に、内側脚枠部４４の係止突部４６と連結片４９との係合を解除した後に、図１０中の矢印Ｂ方向に内側脚枠部４４を回動する。さらに、外側脚枠部４３の係止突部４６と連結片４９との係合を解除した後に、図１０中の矢印Ｃ方向に外側脚枠部４３を回動させる。全ての脚枠部４３，４４を回動させて、上面枠４１に対してほぼ面一状態としたら、両ヒンジ部４０を中心として前後一対の上面枠４１を矢印Ｄ方向に相対的に回動させる。このようにして、支持体２６を図１１に示すような状態に折り畳むことができる。なお、折り畳まれた支持体２６を展開して、移動式浴槽２を載置可能とするには、上記と逆の手順に従うことができる。
【００２５】
＜移動式入浴システム＞
次に上記のような各構成を組み合わせて、移動式入浴システム１とし、入浴作業をするときの様子について、図１および図１２を参照しつつ説明する。
本実施形態の移動式入浴システム１は、例えば図１２に示すようなバンタイプの自動車５０に搭載することができる。車内には、移動式給湯器３と、積み重ねられた状態の複数の移動式浴槽２と、折畳み状態の支持体２６とが収容されている。この自動車５０を入浴サービスを受けるべき人（以下、入浴者という。）の自宅まで運搬し、移動式入浴システム１を自宅に搬入する。
【００２６】
折畳み状態の支持体２６および移動式浴槽２は、入浴者付近まで運び込まれた後、支持体２６が上述のような手順に従って展開状態とされ、その上面側に移動式浴槽２が載置される。一方、移動式給湯器３は、入浴者の自宅外（窓のそば等）まで移動され、その者の自宅のガス供給口および水道口からガス管５３と水道管５４とを介して、ガス導入口５１と水導入口５２とにガスと水とが供給される（もちろん、自動車５０にガスボンベや水タンクを用意しておき、そこからガスと水とを供給することも可能である）。
【００２７】
電源ライン５５を供給源に連結した後に、リモコン２２によって所定の湯温を設定しておき、給湯口２７を介して入浴サービスを提供することができる。
なお、入浴サービスが終了した後には、移動式浴槽２の内側を軽く洗浄した後に（本実施形態の移動式浴槽２は、入浴者の数だけ自動車５０内に収容できるので、入浴サービス後には軽く汚れを落とす程度の洗浄で十分である。一日のサービス提供が終了した後に、自動車５０が本部に帰った後に、さらに洗浄すればよい。）、前述と逆の手順によって、移動式入浴システム１を自動車５０内に収容し、次の場所に移動する。
【００２８】
このように、本実施形態によれば、ガスを燃焼させてお湯を供給する給湯器３が、台車６によって移動可能とされている。このため、移動式給湯器３を移動式入浴システム１として使用するときに、使用性が良好となる。
また、移動式給湯器３を第１筐体４と第２筐体５とに分割している。このため、各筐体４，５を別々に運搬することにより、運搬が容易となる。また、第１筐体４には、ガス燃焼装置１５と熱交換装置１６とが収容されているため、入浴サービス提供後には高熱となる。一方、制御装置１７は、高熱から避けておくことが望ましい。このため、高温となる第１筐体４と、第２筐体５とを分割し、制御装置１７の保護が図られる。
【００２９】
さらに、台車６には、第１筐体４および第２筐体５を組み付けた状態のまま運搬することができる。なお、第２筐体５は着脱可能であるため、運搬時に取り外して、両筐体４，５を別々に運ぶこともできる。さらに、第１筐体４は、使用後には高熱となるため、そのままで使用後すぐに運搬することは難しいが、本実施形態では台車６に組み付けた状態で運搬することもできる。
加えて、移動式浴槽２は、熱可塑性樹脂材のみから形成されており、例えばガラス繊維等が混入されていない。このため、軽量化することが可能となり、容易に運搬することができる。また、移動式浴槽２が軽量なので、一台の自動車５０で入浴サービスを提供すべき人数分の浴槽２を運ぶことができる。こうして、入浴サービスを受ける人は、常に新しい浴槽を利用できる。
【００３０】
また、移動式給湯器３は、ガスを燃焼させてお湯を供給する方式なので、従来のように灯油を燃料とする場合に比べると、移動式給湯器３自体で湯温の調節が行いやすい。このため、移動式浴槽２付近に混合機を設けておく必要がなくなり、移動式浴槽２を簡易な構成とできる。こうして、移動性がさらに良好となる。本発明の技術的範囲は、上記した実施形態によって限定されるものではなく、例えば、次に記載するようなものも本発明の技術的範囲に含まれる。その他、本発明の技術的範囲は、均等の範囲にまで及ぶものである。
【００３１】
（１）本実施形態においては、第２筐体５はステンレス板材から構成されているが、本発明によれば、第２筐体の材質はステンレスに限られず、例えば合成樹脂から形成してもよい。
（２）支持体２６は、移動式浴槽２を入浴サービス時に固定しておくための載置部材の一例として示したものであり、この支持体２６以外にも各種の構成のものが使用できる。
【図面の簡単な説明】
【図１】本実施形態の移動式入浴システムの全体を示す模式図
【図２】移動式給湯器を第２筐体側から見たときの斜視図
【図３】移動式給湯器を第１筐体側から見たときの斜視図
【図４】移動式給湯器の内部構成を示す模式図
【図５】移動式浴槽の斜視図
【図６】移動式浴槽の側面図
【図７】移動式浴槽に使用する導水部材の分解斜視図
【図８】移動式浴槽に使用する導水部材の分解側断面図
【図９】複数の移動式浴槽を積層したときの側面図
【図１０】移動式浴槽を入浴時に載置するための支持体を示す斜視図
【図１１】支持体を折り畳んだときの斜視図
【図１２】移動式入浴システムを自動車内に搭載したときの様子を示す一部破断斜視図
【図１３】従来の移動式入浴システムを示す模式図
【符号の説明】
１…移動式入浴システム
２…移動式浴槽
３…移動式給湯器
４…第１筐体
５…第２筐体
６…台車（移動可能手段）
８…車輪
１５…ガス燃焼装置
１６…熱交換装置
１７…制御装置
２６…支持体
５１…ガス導入口
５２…水導入口
【図１】
0004187903.tif 000002
【図２】
0004187903.tif 000003
【図３】
0004187903.tif 000004
【図４】
0004187903.tif 000005
【図５】
0004187903.tif 000006
【図６】
0004187903.tif 000007
【図７】
0004187903.tif 000008
【図８】
0004187903.tif 000009
【図９】
0004187903.tif 000010
【図１０】
0004187903.tif 000011
【図１１】
0004187903.tif 000012
【図１２】
0004187903.tif 000013
【図１３】
0004187903.tif 000014